【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
便器に設置され洗浄機能を有する洗浄便座装置と、前記洗浄便座装置の前記機能を制御するための無線信号を送信する無線送信回路を有するリモコン無線通信部と、前記無線信号を送信する第１のアンテナ及び第２のアンテナと、前記リモコン無線通信部及び前記第１のアンテナ及び第２アンテナを有するリモコン装置と、を備えたトイレ機器システムであって、前記リモコン装置はトイレブースの壁面に着脱自在に取り付けられると共に、前記リモコン無線通信部は無線信号を出力する際、前記第１のアンテナ及び前記第２のアンテナのうちいずれか一方のアンテナを、前記無線信号を出力するアンテナとして選択するスイッチ制御回路を備え、前記第１のアンテナで無線信号を出力した後、前記第２のアンテナを選択し、この第２のアンテナから再度前記無線信号を出力することを特徴とするトイレ機器システム。
【請求項２】
請求項１に記載のトイレ機器システムにおいて、前記洗浄便座装置は前記リモコン装置との相互間で電波を用いた無線通信を可能とする無線送信回路を有する本体無線通信部と、前記リモコン無線通信部は前記本体無線通信部からの無線信号を受信する無線受信回路を備え、前記リモコン装置と前記洗浄便座装置との相互間で前記第１のアンテナ又は第２アンテナを指定するアンテナ指定要求を無線信号として送受信するとともに、前記リモコン装置は前記第１のアンテナから前記無線信号を出力した後所定の期間に、前記アンテナ指定要求を受信できない場合、前記第２のアンテナを選択し、この第２のアンテナから再度前記無線信号を出力することを特徴とするトイレ機器システム。
【請求項３】
請求項２に記載のトイレ機器システムにおいて、前記本体無線通信部は前記無線信号の電界強度を検出する受信信号強度検出回路を有すると共に、前記受信信号強度検出回路により検出した前記無線信号の電界強度が所定の値より低い場合、前記本体無線通信部は前記リモコン装置へアンテナの切替命令を無線信号として送信することを特徴とするトイレ機器システム。
【請求項４】
浴室に設置され乾燥風を吐出させる乾燥機本体と、前記乾燥機本体の前記機能を制御するための無線信号を送信する無線送信回路を有するリモコン無線通信部と、前記無線信号を送信する第１のアンテナ及び第２のアンテナと、前記リモコン無線通信部及び前記第１のアンテナ及び第２アンテナを有するリモコン装置と、を備えた浴室機器システムであって、前記リモコン装置は浴室の壁面に着脱自在に取り付けられると共に、前記リモコン無線通信部は無線信号を出力する際、前記第１のアンテナ及び前記第２のアンテナのうちいずれか一方のアンテナを、前記無線信号を出力するアンテナとして選択するスイッチ制御回路を備え、前記第１のアンテナで無線信号を出力した後、前記第２のアンテナを選択し、この第２のアンテナから再度前記無線信号を出力することを特徴とする浴室機器システム。
【請求項５】
請求項４に記載の浴室機器システムにおいて、前記乾燥機本体は前記リモコン装置との相互間で電波を用いた無線通信を可能とする無線送信回路を有する本体無線通信部と、前記リモコン無線通信部は前記本体無線通信部からの無線信号を受信する無線受信回路を備え、前記リモコン装置と前記洗浄便座装置との相互間で前記第１のアンテナ又は第２アンテナを指定するアンテナ指定要求を無線信号として送受信するとともに、前記リモコン装置は前記第１のアンテナから前記無線信号を出力した後所定の期間に、前記アンテナ指定要求を受信できない場合、前記第２のアンテナを選択し、この第２のアンテナから再度前記無線信号を出力することを特徴とする浴室機器システム。
【請求項６】
請求項５に記載の浴室機器システムにおいて、前記本体無線通信部は前記無線信号の電界強度を検出する受信信号強度検出回路を有すると共に、前記受信信号強度検出回路により検出した前記無線信号の電界強度が所定の値より低い場合、前記本体無線通信部は前記リモコン装置へアンテナの切替命令を無線信号として送信することを特徴とする浴室機器システム。
【手続補正２】
【補正対象書類名】明細書
【補正対象項目名】発明の名称
【補正方法】変更
【補正の内容】
【発明の名称】トイレ機器システム及び浴室機器システム
【手続補正３】
【補正対象書類名】明細書
【補正対象項目名】００１９
【補正方法】変更
【補正の内容】
【００１９】
そこで、請求項１に係る本発明では、便器に設置され洗浄機能を有する洗浄便座装置と、前記洗浄便座装置の前記機能を制御するための無線信号を送信する無線送信回路を有するリモコン無線通信部と、前記無線信号を送信する第１のアンテナ及び第２のアンテナと、前記リモコン無線通信部及び前記第１のアンテナ及び第２アンテナを有するリモコン装置と、を備えたトイレ機器システムであって、前記リモコン装置はトイレブースの壁面に着脱自在に取り付けられると共に、前記リモコン無線通信部は無線信号を出力する際、前記第１のアンテナ及び前記第２のアンテナのうちいずれか一方のアンテナを、前記無線信号を出力するアンテナとして選択するスイッチ制御回路を備え、前記第１のアンテナで無線信号を出力した後、前記第２のアンテナを選択し、この第２のアンテナから再度前記無線信号を出力することを特徴とする。
【手続補正４】
【補正対象書類名】明細書
【補正対象項目名】００２０
【補正方法】変更
【補正の内容】
【００２０】
また、請求項２に係る本発明では、請求項１に記載のトイレ機器システムにおいて、前記洗浄便座装置は前記リモコン装置との相互間で電波を用いた無線通信を可能とする無線送信回路を有する本体無線通信部と、前記リモコン無線通信部は前記本体無線通信部からの無線信号を受信する無線受信回路を備え、前記リモコン装置と前記洗浄便座装置との相互間で前記第１のアンテナ又は第２アンテナを指定するアンテナ指定要求を無線信号として送受信するとともに、前記リモコン装置は前記第１のアンテナから前記無線信号を出力した後所定の期間に、前記アンテナ指定要求を受信できない場合、前記第２のアンテナを選択し、この第２のアンテナから再度前記無線信号を出力することを特徴とする。
【手続補正５】
【補正対象書類名】明細書
【補正対象項目名】００２１
【補正方法】変更
【補正の内容】
【００２１】
また、請求項３に係る本発明では、請求項２に記載のトイレ機器システムにおいて、前記本体無線通信部は前記無線信号の電界強度を検出する受信信号強度検出回路を有すると共に、前記受信信号強度検出回路により検出した前記無線信号の電界強度が所定の値より低い場合、前記本体無線通信部は前記リモコン装置へアンテナの切替命令を無線信号として送信することを特徴とする。
【手続補正６】
【補正対象書類名】明細書
【補正対象項目名】００２２
【補正方法】変更
【補正の内容】
【００２２】
また、請求項４に係る本発明では、浴室に設置され乾燥風を吐出させる乾燥機本体と、前記乾燥機本体の前記機能を制御するための無線信号を送信する無線送信回路を有するリモコン無線通信部と、前記無線信号を送信する第１のアンテナ及び第２のアンテナと、前記リモコン無線通信部及び前記第１のアンテナ及び第２アンテナを有するリモコン装置と、を備えた浴室機器システムであって、前記リモコン装置は浴室の壁面に着脱自在に取り付けられると共に、前記リモコン無線通信部は無線信号を出力する際、前記第１のアンテナ及び前記第２のアンテナのうちいずれか一方のアンテナを、前記無線信号を出力するアンテナとして選択するスイッチ制御回路を備え、前記第１のアンテナで無線信号を出力した後、前記第２のアンテナを選択し、この第２のアンテナから再度前記無線信号を出力することを特徴とする。
【手続補正７】
【補正対象書類名】明細書
【補正対象項目名】００２３
【補正方法】変更
【補正の内容】
【００２３】
また、請求項５に係る本発明では、請求項４に記載の浴室機器システムにおいて、前記乾燥機本体は前記リモコン装置との相互間で電波を用いた無線通信を可能とする無線送信回路を有する本体無線通信部と、前記リモコン無線通信部は前記本体無線通信部からの無線信号を受信する無線受信回路を備え、前記リモコン装置と前記洗浄便座装置との相互間で前記第１のアンテナ又は第２アンテナを指定するアンテナ指定要求を無線信号として送受信するとともに、前記リモコン装置は前記第１のアンテナから前記無線信号を出力した後所定の期間に、前記アンテナ指定要求を受信できない場合、前記第２のアンテナを選択し、この第２のアンテナから再度前記無線信号を出力することを特徴とする。
【手続補正８】
【補正対象書類名】明細書
【補正対象項目名】００２４
【補正方法】変更
【補正の内容】
【００２４】
また、請求項６に係る本発明では、請求項５に記載の浴室機器システムにおいて、前記本体無線通信部は前記無線信号の電界強度を検出する受信信号強度検出回路を有すると共に、前記受信信号強度検出回路により検出した前記無線信号の電界強度が所定の値より低い場合、前記本体無線通信部は前記リモコン装置へアンテナの切替命令を無線信号として送信することを特徴とする。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３５
【補正方法】変更
【補正の内容】
【００３５】
請求項１に記載の発明では、無線通信部を有し、壁面に着脱自在に取付けられるリモコン装置において、第１のアンテナで無線信号を出力したことを所定の条件として、第２のアンテナを選択し、この第２のアンテナから再度無線信号を出力することとしたため、第１のアンテナと第２のアンテナとから送信される無線信号のうち、少なくともいずれか一方のアンテナから送信した無線信号を、この無線信号を受信する電子機器に確実に受信させることができ、良好な無線通信を行うことができる。
【手続補正１９】
【補正対象書類名】明細書
【補正対象項目名】００３６
【補正方法】変更
【補正の内容】
【００３６】
また、請求項２に記載の発明では、無線通信部は、無線受信回路を備え、第１又は第２のアンテナから無線信号を出力した後、無線受信回路がアンテナ指定要求を受信できたことを所定の条件として、以後アンテナ指定要求に対応するアンテナを選択し、この選択したアンテナから無線信号を出力することとしたため、リモコン装置では、無線信号を受信する側から指定されたアンテナを選択して良好な無線通信を行うことができる。
【手続補正２０】
【補正対象書類名】明細書
【補正対象項目名】００３７
【補正方法】変更
【補正の内容】
【００３７】
また、請求項３に記載の本発明では、無線通信部は、リモコン装置から受信した無線信号が所定の電界強度に満たないとき、リモコン装置へアンテナの切替命令を送信することとしたため、リモコン装置側が不適切なアンテナを選択して無線信号を送信し続けることを未然に防止して、良好な無線通信を行うことができる。
【手続補正２１】
【補正対象書類名】明細書
【補正対象項目名】００３８
【補正方法】変更
【補正の内容】
【００３８】
また、請求項４に記載の本発明では、無線通信部を有し、壁面に着脱自在に取付けられるリモコン装置において、第１のアンテナで無線信号を出力したことを所定の条件として、第２のアンテナを選択し、この第２のアンテナから再度無線信号を出力することとしたため、第１のアンテナと第２のアンテナとから送信される無線信号のうち、少なくともいずれか一方のアンテナから送信した無線信号を、この無線信号を受信する電子機器に確実に受信させることができ、良好な無線通信を行うことができる。
【手続補正２２】
【補正対象書類名】明細書
【補正対象項目名】００３９
【補正方法】変更
【補正の内容】
【００３９】
また、請求項５に記載の本発明では、無線通信部は、無線受信回路を備え、第１又は第２のアンテナから無線信号を出力した後、無線受信回路がアンテナ指定要求を受信できたことを所定の条件として、以後アンテナ指定要求に対応するアンテナを選択し、この選択したアンテナから無線信号を出力することとしたため、リモコン装置では、無線信号を受信する側から指定されたアンテナを選択して良好な無線通信を行うことができる。
【手続補正２３】
【補正対象書類名】明細書
【補正対象項目名】００４０
【補正方法】変更
【補正の内容】
【００４０】
また、請求項６に記載の本発明では、無線通信部は、リモコン装置から受信した無線信号が所定の電界強度に満たないとき、リモコン装置へアンテナの切替命令を送信することとしたため、リモコン装置側が不適切なアンテナを選択して無線信号を送信し続けることを未然に防止して、良好な無線通信を行うことができる。
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】
【手続補正２６】
【補正対象書類名】明細書
【補正対象項目名】００４３
【補正方法】削除
【補正の内容】
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００４７
【補正方法】削除
【補正の内容】
【手続補正３１】
【補正対象書類名】明細書
【補正対象項目名】００４８
【補正方法】削除
【補正の内容】
【手続補正３２】
【補正対象書類名】明細書
【補正対象項目名】００４９
【補正方法】削除
【補正の内容】